(57)【要約】【課題】避雷器による雷撃の処理の有無を判別しやすい雷撃判別体を得ること。【解決手段】避雷器に雷撃があったことを判別可能とする雷撃判別体１０は、金属で形成された判別部１２と、判別部１２の表面に設けられて、温度が上昇することで不可逆的に変色する変色部１３と、変色部１３を覆うように設けられて変色部１３を保護する保護部１４と、を備える。【選択図】図１
2017224764.tif 000002
【特許請求の範囲】
【請求項１】
避雷器に雷撃があったことを判別可能とする雷撃判別体であって、
金属で形成された判別部と、
前記判別部の表面に設けられて、温度が上昇することで不可逆的に変色する変色部と、
前記変色部を覆うように設けられて前記変色部を保護する透明の保護部と、を備えることを特徴とする雷撃判別体。
【請求項２】
板状の金属で形成されて貫通穴が形成された板部をさらに備え、
前記判別部は、前記板部の端部から延びて前記板部と一体に形成されることを特徴とする請求項１に記載の雷撃判別体。
【請求項３】
頭部と軸部とを有して金属で形成されたボルト部をさらに備え、
前記判別部は、前記頭部に対して前記軸部と反対となる側に一体に形成されることを特徴とする請求項１に記載の雷撃判別体。
【請求項４】
頭部と軸部とを有して金属で形成されたボルト部をさらに備え、
前記判別部は、前記軸部に対して前記頭部と反対となる側に一体に形成されることを特徴とする請求項１に記載の雷撃判別体。
【請求項５】
前記保護部は、前記変色部を覆うカバーであることを特徴とする請求項１から４のいずれか１つに記載の雷撃判別体。
【請求項６】
前記保護部は、前記変色部を覆う塗布膜であることを特徴とする請求項１から３のいずれか１つに記載の雷撃判別体。
【請求項７】
前記判別部は、前記避雷器が取り付けられる送電鉄塔に設けられた直列ギャップから離れる方向に向けて延びることを特徴とする請求項１に記載の雷撃判別体。
【請求項８】
前記判別部は、前記避雷器が取り付けられる送電鉄塔に設けられた直列ギャップに近づく方向に延びることを特徴とする請求項１に記載の雷撃判別体。
【請求項９】
１対の電極と、
前記電極の間に並べられた複数の非直線抵抗素子と、
前記非直線抵抗素子の周囲を覆う外被と、
少なくとも一方の前記電極に一体に形成された判別部と、
前記判別部の表面に設けられて、温度が上昇することで不可逆的に変色する変色部と、
前記変色部を覆うように設けられて前記変色部を保護する保護部と、を備えることを特徴とする避雷器。
【発明の詳細な説明】
【技術分野】
【０００１】
本発明は、避雷器による雷撃の処理の有無を判別可能とする雷撃判別体および避雷器に関するものである。
【背景技術】
【０００２】
送電線に落雷があると、電力線を支持するがいし装置に過電圧が生じ、その絶縁耐力を超えるとフラッシオーバが発生して送電線事故となって、停電や瞬時電圧低下が生じる。これを抑制するために、送電用避雷装置が用いられる。避雷装置は気中ギャップと避雷器から構成され、避雷器の内部には、複数の非直線抵抗素子が積層されている。避雷器は、送電線への雷撃によって過大電圧が発生した際に、送電用避雷装置には系統電圧による続流が流れるが、非直線抵抗素子を通じて放電させることで、酸化亜鉛素子の特性により続流が非常に小さく絞られ、気中ギャップで半サイクル以内に消弧されるため、変電所の遮断器が動作しない。なお、本明細書において、雷撃時に非直線抵抗素子を通じて放電させることを、避雷器が雷撃を処理するともいう。
【０００３】
避雷器が雷撃を処理することで、非直線抵抗素子が損傷して避雷器の性能が低下する場合がある。そのため、避雷器が雷撃を処理した場合には、避雷器の点検を行う必要がある。しかしながら、送電鉄塔に設けられた避雷器のように高所に設けられた避雷器は、雷撃を処理したか否かの判別を行うことが難しい。そこで、温度上昇によって不可逆的に変色するサーモラベル（登録商標）を、避雷器の端部に設けられる蓋に貼り付けた構成が特許文献１に開示されている。特許文献１に開示された構成では、雷撃を処理した避雷器の温度上昇によってサーモラベルが変色するため、離れた場所からでもサーモラベルの色を観察することができれば、雷撃の処理の有無を判別することができる。
【先行技術文献】
【特許文献】
【０００４】
【特許文献１】実開昭６４−１８５９３号公報
【発明の概要】
【発明が解決しようとする課題】
【０００５】
しかしながら、特許文献１に開示された構成では、避雷器の蓋の面積よりも大きくサーモラベルを設けることができないため、十分な視認性が確保できず、雷撃の処理の有無の判別が難しい場合があるという問題があった。
【０００６】
本発明は、上記に鑑みてなされたものであって、避雷器による雷撃の処理の有無を判別しやすい雷撃判別体を得ることを目的とする。
【課題を解決するための手段】
【０００７】
上述した課題を解決し、目的を達成するために、本発明は、避雷器に雷撃があったことを判別可能とする雷撃判別体であって、金属で形成された判別部を備える。また、雷撃判別体は、判別部の表面に設けられて、温度が上昇することで不可逆的に変色する変色部と、変色部を覆うように設けられて変色部を保護する保護部と、を備える。
【発明の効果】
【０００８】
本発明にかかる雷撃判別体によれば、避雷器による雷撃の処理の有無を判別しやすいという効果を奏する。
【図面の簡単な説明】
【０００９】
【図１】本発明の実施の形態１にかかる雷撃判別体を示す正面図
【図２】実施の形態１にかかる雷撃判別体の分解図
【図３】実施の形態１にかかる雷撃判別体が取り付けられる避雷器の概略構成を示す図
【図４】実施の形態１にかかる雷撃判別体が取り付けられた避雷器を送電鉄塔に設置した状態を示す図
【図５】図４に示すＶ−Ｖ線に沿って切断した断面図
【図６】実施の形態１におけるホーン金具の正面図
【図７】実施の形態１の変形例１にかかる雷撃判別体を示す正面図
【図８】本発明の実施の形態２にかかる雷撃判別体を示す正面図
【図９】実施の形態２の変形例１にかかる雷撃判別体を示す正面図
【図１０】実施の形態２の変形例２にかかる雷撃判別体を示す正面図
【図１１】本発明の実施の形態３にかかる雷撃判別体を示す正面図
【図１２】本発明の実施の形態４にかかる雷撃判別体を備える避雷器の要部拡大図
【発明を実施するための形態】
【００１０】
以下に、本発明の実施の形態にかかる雷撃判別体を図面に基づいて詳細に説明する。なお、この実施の形態によりこの発明が限定されるものではない。
【００１１】
実施の形態１．
図１は、本発明の実施の形態１にかかる雷撃判別体を示す正面図である。図２は、実施の形態１にかかる雷撃判別体の分解図である。雷撃判別体１０は、正面視において四角形で板状の板部１１と、板部１１の端部から延びて板部１１と一体に形成される判別部１２と、判別部１２の表面に設けられた変色部１３と、変色部１３を覆う保護部１４と、を備える。雷撃判別体１１は、後述する避雷器の電極部分に取り付けられて用いられる。
【００１２】
板部１１は、金属で形成されている。板部１１には、避雷器に取り付ける際にボルトの軸部が貫通する穴１１ａが形成されている。
【００１３】
判別部１２は、金属で形成されている。判別部１２は、板部１１の端部から延びており、その大きさは任意に決定することが可能となっている。変色部１３は、判別部１２の表面に不可逆性変色塗料を塗布することで形成される。不可逆性変色塗料は、温度が上昇した際に不可逆的に色が変化する塗料であり、例えばサーモペイント（登録商標）である。不可逆性変色塗料は、例えば、判別部１２の温度が１３０℃から１６０℃となった場合に変色する。
【００１４】
保護部１４は、板部１１に取り付けられた透明のカバーであり、判別部１２および変色部１３を覆う。保護部１４は、例えばガラスまたは樹脂で形成される。保護部１４は、板部１１に形成された雄ねじ部または雌ねじ部にねじ込まれて板部１１に固定されていてもよいし、板部１１に接着されて固定されていてもよい。なお、板部１１にねじ込まれて保護部１４が固定される場合には、板部１１には雄ねじ部または雌ねじ部を形成する厚さが必要となる。
【００１５】
次に、雷撃判別体１０が取り付けられる避雷器について説明する。図３は、実施の形態１にかかる雷撃判別体１０が取り付けられる避雷器２０の概略構成を示す図である。避雷器２０は、１対の電極２０Ａ，２０Ｂと、１対の電極２０Ａ，２０Ｂ間に配置された複数の非直線抵抗素子１５と、電極２０Ａ，２０Ｂの各々に挿入されて電極２０Ａ，２０Ｂ間の間隔を調整する電気絶縁性の支持棒２１と、非直線抵抗素子１５の外周を覆う電気絶縁性外被２２とを備えている。複数の非直線抵抗素子１５は、直列に並べて配置されて、電極２０Ａ，２０Ｂと電気的に接続されている。
【００１６】
電極２０Ａ，２０Ｂには、送電線を支持する送電鉄塔に避雷器２０を固定する際、または雷撃判別体１０を固定する際にボルトの軸部を貫通させる穴２５が形成されている。非直線抵抗素子１５は、例えば酸化亜鉛系焼結体によって形成される。
【００１７】
電気絶縁性外被２２は複数の笠部２３を有し、非直線抵抗素子１５および支持棒２１の周囲を覆っている。複数の笠部２３は、非直線抵抗素子の配列方向に沿って並べて形成される。電気絶縁性外被２２は、絶縁性の材料で形成されており、例えばシリコーン系ゴムで形成されている。
【００１８】
次に、実施の形態１にかかる雷撃判別体１０が避雷器２０に取り付けられた状態および避雷器２０が送電鉄塔に設置された状態について説明する。図４は、実施の形態１にかかる雷撃判別体１０が取り付けられた避雷器２０を送電鉄塔３０に設置した状態を示す図である。
【００１９】
ここで、送電鉄塔３０には、碍子３１を介して送電線３２が支持されている。碍子３１の送電線３２側となる端部からは、金属製の直列ギャップ３３が避雷器２０に近づく方向に延びている。電極２０Ａをボルト２８で送電鉄塔３０に固定することで、避雷器２０が送電鉄塔３０に固定される。
【００２０】
図５は、図４に示すＶ−Ｖ線に沿って切断した断面図である。図４，５に示すように、雷撃判別体１０は、避雷器２０の電極２０Ｂにボルト２６で固定される。雷撃判別体１０の板部１１に形成された穴１１ａと、避雷器２０の電極２０Ｂに形成された穴２５とを重ねて、穴１１ａと穴２５とにボルト２６の軸部２６ａを貫通させて、軸部２６ａにナット２７をねじ込むことで、電極２０Ｂに雷撃判別体１０が固定される。軸部２６ａにナット２７をねじ込む際は、頭部２６ｂを押えてボルト２６の回転を規制する。また、雷撃判別体１０の判別部１２は、避雷器２０に固定された状態で、直列ギャップ３３の先端から離れる方向に延びている。直列ギャップ３３は、送電線３２と電気的に接続されている。
【００２１】
避雷器２０の電極２０Ｂには、雷撃判別体１０とともに金属製のホーン金具３５が取り付けられる。図６は、実施の形態１におけるホーン金具３５の正面図である。ホーン金具３５には、雷撃判別体１０と同様にボルト２６の軸部２６ａを貫通させる穴３６が形成されている。ホーン金具３５は、図４にも示すように、ボルト２６を用いて雷撃判別体１０の板部１１と避雷器２０の電極２０Ｂと共締めされる。ホーン金具３５には、ホーン部３７が形成されている。ホーン部３７も金属製である。ホーン部３７は、避雷器２０が送電鉄塔３０に固定された状態で、電極２０Ｂから電極２０Ａと反対側、すなわち直列ギャップ３３に向けて延びるように形成される。
【００２２】
次に、避雷器２０による雷撃の処理について説明する。上述した送電鉄塔まわりの構成において、送電線の架空地線に雷撃があり、気中ギャップで放電した場合に、避雷器２０によって雷撃の処理が行われる。架空地線等への雷撃によって鉄塔３０に過大電圧が発生すると、非直線抵抗素子１５、電極２０Ｂを介してホーン部３７から直列ギャップ３３への放電が行われる。
【００２３】
雷撃の処理時には、大きな電流が流れることで電極２０Ｂおよびホーン金具３５の温度が上昇する。ここで、雷撃判別体１０は電極２０Ｂに共締めされているため、雷撃の処理時に電極２０Ｂと同様に、雷撃判別体１０の判別部１２の温度が上昇する。例えば、雷撃の処理前の温度が１０℃から４０℃であれば、雷撃の処理時には１３０℃から１６０℃に上昇する。
【００２４】
判別部１２の温度が上昇することで、変色部１３の色が変化する。変色部１３の色の変化は不可逆的であるため、雷撃の処理から時間が経過しても元の色に戻らない。そのため、避雷器２０の監視者は、送電鉄塔３０に登らずに離れた場所から変色部１３の色を確認するだけで、避雷器２０が雷撃の処理を行ったか否かを把握することができる。
【００２５】
避雷器２０が雷撃の処理を行ったことが確認できた場合に、送電鉄塔３０に登って避雷器２０の状態を確認すればよいため、雷撃の処理を行っていない避雷器２０の状態を無駄に確認する必要がなくなる。
【００２６】
また、雷撃判別体１０の判別部１２は、避雷器２０とは別体で構成されているため、避雷器２０の大きさに関わらず、任意の大きさで設けることができる。そして、判別部１２を大きく形成すれば、変色部１３も大きくすることができる。したがって、送電鉄塔３０の下など、避雷器２０から離れた場所からでも変色部１３の色の変化を確認可能な大きさで判別部１２を設けやすくなっている。
【００２７】
また、雷撃判別体１０は、避雷器２０とは別体で構成されているため、一般的な避雷器の電極に雷撃判別体を後付けすれば、雷撃の処理を行ったか否かを離れた場所から確認できるようになる。
【００２８】
また、判別部１２は、直列ギャップ３３から離れる方向に延びている。ここで、直列ギャップ３３とホーン金具３５のホーン部３７との距離は、雷撃時には放電が発生するが、雷撃の無い場合には放電が発生しない距離に設定されている。判別部１２が直列ギャップ３３に近づく方向に延びていると、直列ギャップ３３とホーン部３７との間の電界が影響を受けて、適切なタイミングで放電が行われなくなるおそれがある。しかし、本実施の形態１にかかる雷撃判別体１０では、判別部１２が直列ギャップ３３から離れる方向に延びているため、直列ギャップ３３とホーン部３７との間の電界への影響を抑えることができる。これにより、直列ギャップ３３とホーン部３７との間で適切なタイミングで放電が行われなくなることを防ぐことができる。
【００２９】
また、判別部１２および変色部１３が保護部１４によって覆われているので、変色部１３の周囲の環境の影響、例えば風雨によって変色部１３が変色してしまったり、剥げてしまったりして、雷撃の処理の把握が困難になることを防ぐことができる。また、保護部１４が透明のカバーであるため、変色部１３の色を確認するのに保護部１４が邪魔になりにくい。また、保護部１４に紫外線をカットする機能を持たせれば、紫外線によって変色部１３が変色することを防ぐことができる。
【００３０】
なお、本実施の形態１では、変色部１３が塗装によって形成された塗装部である例を挙げて説明したが、判別部１２にラベルを貼付して貼付部で変色部１３が構成されていてもよい。すなわち、温度上昇によって不可逆的に色が変化する領域を判別部１２の表面に設ければ、その領域が変色部１３として機能する。
【００３１】
図７は、実施の形態１の変形例１にかかる雷撃判別体を示す正面図である。実施の形態１の変形例１にかかる雷撃判別体では、判別部１２に塗布された透明の塗布膜が保護部１４となっている。塗布膜は、例えば常温で硬化するガラスペイントを判別部１２に塗布することで形成される。これにより、変色部１３を保護部１４で覆うことができる。したがって、変色部１３の周囲の環境の影響、例えば風雨によって変色部１３が変色してしまったり、剥げてしまったりして、雷撃の処理の把握が困難になることを防ぐことができる。また、保護部１４が透明の塗布膜であるため、変色部１３の色を確認するのに保護部１４が邪魔になりにくい。
【００３２】
実施の形態２．
図８は、本発明の実施の形態２にかかる雷撃判別体を示す正面図である。なお、上記実施の形態１と同様の構成には、同様の符号を用いて詳細な説明を省略する。本実施の形態２にかかる雷撃判別体４０は、避雷器２０の電極２０Ｂにホーン金具３５を固定する際に用いられるボルトである。すなわち、図４に示したボルト２６に代えて本実施の形態２にかかる雷撃判別体４０が用いられる。雷撃判別体４０は、ねじが形成された軸部４１と、軸部４１の一端に形成されて雷撃判別体４０を締結する際に工具と係合する頭部４２とを有するボルト部４３を備える。
【００３３】
また、雷撃判別体４０は、ボルト部４３のうち頭部４２を挟んで軸部４１の反対となる側に一体に形成された判別部４４を備える。判別部４４には、変色部４５が設けられる。変色部４５は、上記実施の形態１で説明した変色部１３と同様に、温度が上昇することによって不可逆的に変色する部分である。
【００３４】
また、雷撃判別体４０は、判別部４４および変色部４５を覆って変色部４５を保護する保護部４６を備える。保護部４６は、上記実施の形態１で説明した保護部１４と同様に、透明のカバーであり、頭部４２に取り付けられる。保護部４６は、頭部４２に形成された雄ねじ部または雌ねじ部にねじ込まれて頭部４２に固定されていてもよいし、頭部４２に接着されて固定されていてもよい。
【００３５】
本実施の形態２にかかる雷撃判別体４０を避雷器２０の電極２０Ｂに取り付ければ、変色部４５の色の変化を確認することで、避雷器２０が雷撃の処理を行ったか否かを確認できる。また、雷撃判別体４０の判別部４４は、避雷器２０とは別体で構成されているため、避雷器２０の大きさに関わらず、任意の大きさで設けることができる。そして、判別部４４を大きく形成すれば、変色部４５も大きくすることができる。したがって、送電鉄塔の下など、避雷器２０から離れた場所からでも変色部４５の色の変化を確認可能な大きさで判別部４４を設けやすくなっている。
【００３６】
また、雷撃判別体４０は、避雷器２０とは別体で構成されているため、一般的な避雷器の電極に雷撃判別体を後付けすれば、雷撃の処理を行ったか否かを離れた場所から確認できるようになる。
【００３７】
また、判別部４４および変色部４５が保護部４６によって覆われているので、変色部４５の周囲の環境の影響、例えば風雨によって変色部４５が変色してしまったり、剥げてしまったりして、雷撃の処理の把握が困難になることを防ぐことができる。また、保護部４６が透明のカバーであるため、変色部４５の色を確認するのに保護部４６が邪魔になりにくい。
【００３８】
なお、本実施の形態２にかかる雷撃判別体４０は、電極２０Ｂに限らずボルトとして固定できる部分であれば、任意の場所に固定することができる。
【００３９】
図９は、実施の形態２の変形例１にかかる雷撃判別体を示す正面図である。実施の形態２の変形例１にかかる雷撃判別体４０では、判別部４４に塗布された透明の塗布膜が保護部４６となっている。塗布膜は、例えば常温で硬化するガラスペイントを判別部４４に塗布することで形成される。これにより、変色部４５を保護部４６で覆うことができる。したがって、変色部４５の周囲の環境の影響、例えば風雨によって変色部４５が変色してしまったり、剥げてしまったりして、雷撃の処理の把握が困難になることを防ぐことができる。また、保護部４６が透明の塗布膜であるため、変色部４５の色を確認するのに保護部４６が邪魔になりにくい。
【００４０】
図１０は、実施の形態２の変形例２にかかる雷撃判別体を示す正面図である。実施の形態２の変形例２にかかる雷撃判別体では、変色部４５が設けられる判別部４４が、ボルト部４３のうち軸部４１を挟んで頭部４２の反対となる側に一体に形成されている。また、保護部４６は、軸部４１に形成されたねじにねじ込まれることで、軸部４１に固定される。そのため、雷撃判別体４０を避雷器２０に固定する際には、軸部４１にナットをねじ込んだ後に保護部４６を軸部４１にねじ込む。実施の形態２の変形例２にかかる雷撃判別体４０では、軸部４１に形成されたねじを利用して保護部４６を固定できるため、保護部４６を固定するための特別な構成が不要となるため、製造費用を抑えることができる。
【００４１】
実施の形態３．
図１１は、本発明の実施の形態３にかかる雷撃判別体の正面図である。なお、上記実施の形態１と同様の構成については、同様の符号を付して詳細な説明を省略する。本実施の形態３にかかる雷撃判別体５０は、上記実施の形態１でも説明したホーン金具に変色部を設けたものである。より具体的には、ホーン金具５１のホーン部５２を判別部とし、ホーン部５２の先端を避けて変色部５３を設けている。変色部５３は、透明の塗布膜である保護部５４に覆われている。
【００４２】
本実施の形態３にかかる雷撃判別体５０を避雷器２０の電極２０Ｂに取り付ければ、変色部５３の色の変化を確認することで、避雷器２０が雷撃の処理を行ったか否かを確認できる。また、雷撃判別体５０の判別部であるホーン部５２は、避雷器２０とは別体で構成されており視認性がよいため、避雷器２０から離れた場所からでも変色部５３の色の変化を確認しやすくなっている。
【００４３】
また、雷撃判別体５０は、避雷器２０とは別体で構成されているため、一般的な避雷器の電極に雷撃判別体を後付けすれば、雷撃の処理を行ったか否かを離れた場所から確認できるようになる。
【００４４】
また、変色部５３が保護部５４によって覆われているので、変色部５３の周囲の環境の影響、例えば風雨によって変色部５３が変色してしまったり、剥げてしまったりして、雷撃の処理の把握が困難になることを防ぐことができる。また、保護部５４が透明の塗布膜であるため、変色部５３の色を確認するのに保護部５４が邪魔になりにくい。また、変色部５３および保護部５４が、ホーン部５２に先端を避けて設けられているので、ホーン部５２と直列ギャップ３３との間の電界に与える影響を抑えることができる。
【００４５】
実施の形態４．
図１２は、本発明の実施の形態４にかかる雷撃判別体を用いた避雷器の要部拡大図である。なお、上記実施の形態１，２，３と同様の構成については、同様の符号を付して詳細な説明を省略する。本実施の形態４では、避雷器２０に設けられる電極２０Ｂが雷撃判別体６０となっている。電極２０Ｂに判別部６１を一体に形成し、温度の上昇によって不可逆的に変色する変色部６２を判別部６１に設けている。
【００４６】
雷撃判別体６０の判別部６１は、避雷器２０の本体の大きさに関わらず、任意の大きさで設けることができる。そして、判別部６１を大きく形成すれば、変色部６２も大きくすることができる。したがって、送電鉄塔の下など、避雷器２０から離れた場所からでも変色部６２の色の変化を確認可能な大きさで判別部６１を設けやすくなっている。
【００４７】
判別部６１には、透明の塗布膜である保護部６３が設けられている。塗布膜は、例えば常温で硬化するガラスペイントを判別部６１に塗布することで形成される。これにより、変色部６２を保護部６３で覆うことができる。したがって、変色部６２の周囲の環境の影響、例えば風雨によって変色部６２が変色してしまったり、剥げてしまったりして、雷撃の処理の把握が困難になることを防ぐことができる。また、保護部６３が透明の塗布膜であるため、変色部６２の色を確認するのに保護部５４が邪魔になりにくい。なお、保護部５４は、上記実施の形態１で示したような透明のカバーで形成してもよい。また、判別部６１、変色部６２および保護部６３は、図３に示した電極２０Ｂに形成されていてもよい。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１０  雷撃判別体、１１  板部、１１ａ  穴、１２  判別部、１３  変色部、１４  保護部、１５  非直線抵抗素子、２０  避雷器、２０Ａ，２０Ｂ  電極、２１  支持棒、２２  電気絶縁性外被、２３  笠部、２５  穴、２６  ボルト、２６ａ  軸部、２６ｂ  頭部、２７  ナット、２８  ボルト、３０  送電鉄塔、３１  碍子、３２  送電線、３３  直列ギャップ、３５  ホーン金具、３６  穴、３７  ホーン部、４０  雷撃判別体、４１  軸部、４２  頭部、４３  ボルト部、４４  判別部、４５  変色部、４６  保護部、５０  雷撃判別体、５１  ホーン金具、５２  ホーン部、５３  変色部、５４  保護部、６０  雷撃判別体、６１  判別部、６２  変色部、６３  保護部。
【図１】
2017224764.tif 000003
【図２】
2017224764.tif 000004
【図３】
2017224764.tif 000005
【図４】
2017224764.tif 000006
【図５】
2017224764.tif 000007
【図６】
2017224764.tif 000008
【図７】
2017224764.tif 000009
【図８】
2017224764.tif 000010
【図９】
2017224764.tif 000011
【図１０】
2017224764.tif 000012
【図１１】
2017224764.tif 000013
【図１２】
2017224764.tif 000014